(57)【特許請求の範囲】
【請求項１】
前方にオーガを有する小型除雪機において、オーガを貫通するオーガ駆動軸が、左右に設けた操作体から外側に突出し、該操作体の前方に砕降雪刃支持フレームを連係すると共に、該砕降雪刃支持フレームには、複数の歯車状平板砕硬雪刃とスプロケットを貫通して成る、砕硬雪刃用回転軸を軸支すると同時に、前記オーガ駆動軸と前記砕硬雪刃用回転軸の間をスプロケットを介してチエーンで連動させ、前記砕降雪刃支持フレーム底部には砕硬雪刃が除雪面より沈み込むのを防止するための橇を設け、小型除雪機では不可能な硬雪の瓦礫の山を、本機の除雪作業を行う前、前記砕硬雪刃により砕き、本機のオーガにより其れを容易に排雪出来ることを一台の小型除雪機で行なえるようにした小型除雪機用砕硬雪装置。
【発明の詳細な説明】
【技術分野】
【０００１】
本発明は、小型除雪機の駆動力で砕硬雪用回転刃を前方に設けて、砕硬雪と除雪作業を容易にした、省力化装置に関するものである。
【背景技術】
【０００２】
大型除雪機による車道からの除雪により生じた硬雪の瓦礫の山を小型除雪機で徐雪するには、該小型除雪機は軽量の為硬雪の瓦礫の山に乗り上げて除雪作業が困難である為人力で剣先スコップ等にて瓦礫の山を砕いてから、小型除雪機で徐雪する方法が取られてきた、其の方法は従来も現在も変わらない為に作業に負担がかかる、近年になり硬雪用除雪機は存在するが、其れは中大型除雪機であり前記硬雪の瓦礫の山は重量と馬力がある為に問題は生じない。
【０００３】
歩行型除雪機は主幹道路までの生活道路の確保に主に使用され、足元の悪い状態が多く、安全を考慮し、頻繁に行われる除雪部の傾き調節や高さ調節の操作体を、操縦者が両手でハンドルを握った状態で操作できるように配置した歩行型除雪機が知られている。（例えば、特許文献１参照。）
【０００４】
雪質のばらつきにより除雪中に機体が徐々に雪の上に乗り上げたり、除雪面の左右のばらつきにより機体が振れ旋回を開始する点を解決することで、機体が前後方向に傾いたり、機体が左右方向に傾く場合に自動的に補正することを可能にする除雪機が知られている。（例えば、特許文献２参照。）
【０００５】
機体フレームの前方に車両前後方向に対して略垂直に沿った掻き取りオーガの回転軸を有するオーガ部が配設されており、オーガ部が揺動機構により揺動軸の軸線回りに揺動されて、硬く締まった雪に対しても除雪効果を高める事が出来る除雪機が知られている。（例えば、特許文献３参照。）
【先行技術文献】
【特許文献】
【０００６】
【特許文献１】特許公開２００６−２００２０１号公報
【０００７】
【特許文献２】特許公開２００７−９２３２４号公報
【０００８】
【特許文献３】特許公開２００８−２１５０４５号公報
【発明の概要】
【発明が解決しようとする課題】
【０００９】
解決しようとする問題点は、前期の背景技術で述べた公知の装置では解決されていない、前方に有る硬雪の瓦礫の山を砕く装置を、小型除雪機の前方に取り付けて、前方に有る硬雪の瓦礫の山を砕くことを可能とした、小型除雪機用砕硬雪装置を提供することが課題である。
【課題を解決するための手段】
【００１０】
前方にオーガを有する小型除雪機において、オーガを貫通するオーガ駆動軸が、左右に設けた操作体から外側に突出し、該操作体の前方に砕降雪刃支持フレームを連係すると共に、該砕降雪刃支持フレームには、複数の歯車状平板砕硬雪刃とスプロケットを貫通して成る、砕硬雪刃用回転軸を軸支すると同時に、前記オーガ駆動軸と前記砕硬雪刃用回転軸の間をスプロケットを介してチエーンで連動させ、前記砕降雪刃支持フレーム底部には砕硬雪刃が除雪面より沈み込むのを防止するための橇を設け、小型除雪機では不可能な硬雪の瓦礫の山を、本機の除雪作業を行う前、前記砕硬雪刃により砕き、本機のオーガにより其れを容易に排雪出来ることを一台の小型除雪機で行なえるようにした小型除雪機用砕硬雪装置。
【発明の効果】
【００１１】
本発明の装置は、小型除雪機では不可能な硬雪の瓦礫の山を、本機の除雪作業を行う前に砕いておいて、其の後本機が其れを容易に排雪出来る状況を一台の除雪機で同時に行うことで、省力化を可能とした装置である。
【図面の簡単な説明】
【００１２】
【図１】図１は小型除雪機用砕硬雪装置概観斜視図である。
【図２】図２は左右の操作体の内部詳細斜視図である。
【発明を実施するための形態】
【００１３】
小型除雪機のオーガ駆動軸が砕硬雪装置を駆動する為の左右に長い軸に組み替えて、左右に其々操作体が装備され、其の左右前方には各々橇とコノ字状棒体吊り具を有した砕硬雪装置枠体が接続され、前記オーガのカバー上部には砕硬雪装置枠体を吊上げて係止する為の、先がフック状を呈した棒体を取り付けて、砕硬雪の作業準備が完了する。
【実施例１】
【００１４】
図１、図２において、小型除雪機１１のオーガケース１０の左右より其々オーガ駆動軸１２の先が突き出ており、該オーガ駆動軸１２は操作体５を貫通して内外をベアリング１３で軸支され、フリーホイル式スプロケット１４とチエーン８により、前方の歯車状平板砕硬雪刃１を貫通して砕硬雪刃用回転軸２に軸着されているスプロケット７を係回して、枠体３の左右後部に接続されている。
【００１５】
砕硬雪刃である歯車状平板は小型除雪機のオーガとブロアを回転駆動する為の駆動力を使用してオーガ駆動軸と同回転しながら、前方にある硬雪の瓦礫の山を砕く事により、後部のオーガとブロアにより、容易な除雪作業を可能としている、前記歯車状平板は砕硬雪の作業終了後直ちに砕硬雪装置の枠体と共に上部に吊挙げられて、オーガ―ケースの上部に設けられたフックに係止されるので、除雪の邪魔にはならないし、又除雪場所の状況によっては、砕硬雪装置を下ろした状態のまま排雪作業も出来る、その理由は先の砕硬雪刃が前方に存在した硬雪の瓦礫の山を既に砕き終わってその回転駆動力が減少している為である。
【００１６】
本発明の砕硬雪装置は作業中大変な危険を伴うので、回転刃の周りは防禦用カバー９にて覆われてはいるが、更に作業中には細心の注意が必要とされる、又砕硬雪装置が使用されない時は、必ず操作体の駆動入切レバー１６を切の状態にしておく事が重要である、又砕硬雪刃の回転駆動の入切作業は除雪機のオーガの回転とクローラーの回転を切った状態で行うことが危険防止をするためにも薦めるものである。                                                
【００１７】
本発明の歯車状平板の砕硬雪刃の製作方法については、形状、大きさ、厚み、材質等は実際に多くの試作と試運転を要するものであるし、出来れば刃の材質は発条鋼等が考えられる、これは一例を示すものである。
【００１８】
砕硬雪作業方法については、除雪機の前進速度を遅くするのは当然ではあるが、数回前後進を繰り返すか、又は枠体の上部からの重量又は力を加える方法等もある、此の時は除雪機のオーガの下の雪掻き刃は浮かした状態の方がスムーズに作業出来る、これは一例を示すものである。
【００１９】
（図２）において、回転駆動入切操作体５について説明すると、先ず小型除雪機１１のオーガ駆動軸１２がオーガケース１０の左右カバーより突き出ており、其れが前記回転駆動入切操作体５を貫通して内側と外側をベアリング１３で其々軸支されており、内部ではフリーホイル式スプロケット１４がオーガ駆動軸１２とフリー回転状態で軸通されていて、其のとなりには駆動入切レバー１６とスライド式ヨーク１７によりオーガ駆動軸１２に対しては縦方向にスライドするが回転方向はピンにて軸止されており、駆動入切レバー１６とスライド式ヨーク１７の揺動作用で、フリーホイル式スプロケット１４に嵌脱して共に駆動回転を行うスライド式駆動伝達パイプ１５によりオーガ軸に固定された、前記フリーホイル式スプロケット１４と駆動伝達用チエーン８により、前方の回転式砕硬雪刃である歯車状平板１に回転駆動を伝達するものである、此の装置も一例を示すものである。
【００２０】
本発明の出力用オーガ駆動軸の実施例において、小型除雪機のオーガ駆動軸はオーガの中心に位置する変速装置を分解しないと取り外すことが出来ないので、初めから長い本発明用のオプション部品として別に製作しなければならないという問題がある、方法は多種あるが本発明の市場性を見てからの判断をくださなければならない、此も一例を示すものである。
【産業上の利用可能性】
【００２１】
小型除雪機のオーガ軸の回転駆動力で、其の前方を砕硬雪する作業状況において、先ず小型除雪機の回転駆動力は砕硬雪作業を行う為に使用されているので後部のオーガとブロアは空回転になるので充分に出力が残っており、その後砕硬雪作業が終了してから、該砕硬雪装置の上部を吊上げて其の位置から外して小型除雪機の除雪作業を始めることで、一台の機械で二つの作業が同時に出来る事を可能とした省力化装置であるので、産業上の利用可能性は充分に満たしている。
【符号の説明】
【００２２】
１    歯車状平板砕硬雪刃
２    砕硬雪刃用回転軸
３    砕降雪刃支持フレーム
４    橇
５    操作体
６    オーガ
７    スプロケット
８    チエーン
９    防禦用カバー
１０    オーガケース
１１    小型除雪機
１２    オーガ駆動軸
１３    ベアリング
１４    フリーホイル式スプロケット
１５    スライド式駆動伝達パイプ
１６    駆動入切レバー
１７    スライド式ヨーク
【図１】
0005473027.tif 000002
【図２】
0005473027.tif 000003